(57)【要約】      （修正有）【課題】筺体の形状が異なる様々なＨＤＤに対応して、チリや埃の侵入を確実に防止し、かつ、隙間やぐらつきを抑えて的確に固定するＨＤＤ接続装置を提供する。【解決手段】ディスクサイズが第１のサイズであるハードディスクドライブを挿入可能な大きさの第１の開口を備える外ケース２０と、ディスクサイズが第１のサイズであるハードディスクドライブを挿入可能な大きさの第２の開口と、ディスクサイズが第１のサイズよりも小さい第２のサイズであるハードディスクドライブを挿入可能な大きさの第３の開口と、第１の開口を塞ぐ面積を有する第１の領域とを少なくとも備える。また、外ケースの内側において回転することにより外ケースに対する位置を変更可能な内ケース３０と、第１の開口と内ケースが備えるいずれかの開口３１，３２とを介して挿入されるハードディスクドライブ８０，８１と接続するための接続端子を有し、内ケースの内側に配設される台座とを備える。【選択図】図８
0003169661.tif 000002
【実用新案登録請求の範囲】
【請求項１】
ディスクサイズが第１のサイズであるハードディスクドライブを挿入可能な大きさの第１の開口を備える外ケースと、
ディスクサイズが第１のサイズであるハードディスクドライブを挿入可能な大きさの第２の開口と、ディスクサイズが第１のサイズよりも小さい第２のサイズであるハードディスクドライブを挿入可能な大きさの第３の開口と、第１の開口を塞ぐ面積を有する第１の領域とを少なくとも備え、外ケースの内側において回転することにより外ケースに対する位置を変更可能な内ケースと、
第１の開口と内ケースが備えるいずれかの開口とを介して挿入されるハードディスクドライブと接続するための接続端子を有し、内ケースの内側に配設される台座と、
を備えることを特徴とするハードディスクドライブ接続装置。
【請求項２】
外ケースに対する内ケースの位置であって、第１の領域が第１の開口を塞ぐ位置、第１の開口と第２の開口の少なくとも一部とが重なる複数の位置、第１の開口と第３の開口の少なくとも一部とが重なる複数の位置、のそれぞれに内ケースを保持することが可能な保持機構を備えることを特徴とする請求項１に記載のハードディスクドライブ接続装置。
【請求項３】
挿入されるハードディスクドライブの厚み方向と略平行な方向へ内ケースの移動を案内するガイド機構を備えることを特徴とする請求項１または請求項２に記載のハードディスクドライブ接続装置。
【請求項４】
内ケースを回転させるための操作部を備えることを特徴とする請求項１〜請求項３のいずれかに記載のハードディスクドライブ接続装置。
【考案の詳細な説明】
【技術分野】
【０００１】
本考案は、ハードディスクドライブ接続装置に関する。
【背景技術】
【０００２】
３．５インチのハードディスクドライブ（ＨＤＤ）および２．５インチのＨＤＤのいずれも挿入可能であり、ＨＤＤをコンピュータに電気的に接続するための装置が知られている（特許文献１，２，３参照。）。文献１には、ＨＤＤを挿入するための開口部をケース本体の上面に有し、開口部は略Ｌ字状の蓋体を有し、蓋体が開くことにより開口部に３．５インチのＨＤＤを挿入可能であり、蓋体を閉じた状態において蓋体の切り欠き部から２．５インチのＨＤＤを挿入可能なハードディスクケースが開示されている。
【０００３】
文献２には、内部空間を有するとともにその上に開口が形成されたケースを有し、開口には２．５インチのＨＤＤに対応した開口部を形成したカバープレートが設けられ、３．５インチのＨＤＤが開口から挿入されるときはカバープレートが内部空間内側に倒れ、２．５インチのＨＤＤが挿入されるときはカバープレートの開口部から挿入される構成の収容装置が開示されている。
文献３には、挿入穴に３．５インチのＨＤＤが挿し込まれたときは、ＨＤＤの側面を両側から支持部材で支持し、挿入穴に２．５インチのＨＤＤが挿し込まれたときは、ＨＤＤの一方側を支持部材で支持し、他方側を、挿入穴内において上側に付勢されて昇降可能な可動部材（３．５インチのＨＤＤの挿入に伴って押し下げられる可動部材）によって支持するＨＤＤ接続装置が開示されている。
【先行技術文献】
【特許文献】
【０００４】
【特許文献１】実用新案登録第３１３４６９５号公報
【特許文献２】実用新案登録第３１４７９３８号公報
【特許文献３】実用新案登録第３１４４９３７号公報
【考案の概要】
【考案が解決しようとする課題】
【０００５】
上記文献１，２においては、ケースの開口に蓋体（カバープレート）が取り付けられている。しかし、当該蓋体（カバープレート）は２．５インチのＨＤＤを挿入する空間を確保するために略Ｌ字状となっている。そのため、ＨＤＤ未挿入時にケースの開口が完全に覆われることはなく、開口内部にチリや埃等が侵入し易い（内部の接続端子にチリや埃が付着しやすい）。また、上記文献３においては、ＨＤＤ未挿入時は接続端子が剥き出しの状態であり、チリや埃に対して無防備である。
【０００６】
また、３．５インチのＨＤＤとは、一般的にＨＤＤ自体の筺体内に収容されている記録媒体としてのディスク（プラッタ）の直径が３．５インチである製品を指すが、３．５インチのＨＤＤであっても、その筺体の形状（特に厚み）は製品によって様々である。同様に、２．５インチのＨＤＤとは、ＨＤＤ自体の筺体内に収容されているディスクの直径が２．５インチである製品を指すが、２．５インチのＨＤＤであってもその筺体の形状（特に厚み）は製品によって様々である。
【０００７】
しかしながら上記文献１，２では、ケースにＨＤＤを挿入し得る状況としては蓋体（カバープレート）が開いた状態と、蓋体（カバープレート）が閉じた状態との２種類しかない。そのため、各種３．５インチのＨＤＤ間における形状の違いや、各種２．５インチのＨＤＤ間における形状の違いに対応できていない。また上記文献３では、支持部材および可動部材の位置が固定されているため、上記文献１，２と同様に、各種３．５インチのＨＤＤ間における形状の違いや、各種２．５インチのＨＤＤ間における形状の違いに対応できていない。そのため、実際に様々な厚みの３．５インチのＨＤＤや２．５インチのＨＤＤを挿入した場合には、ＨＤＤの厚みによっては、ケースの開口や蓋体（カバープレート）とＨＤＤとの間に隙間が生じたり（上記文献１，２）、支持部材や可動部材とＨＤＤとの間に隙間が生じたり（上記文献３）し、ＨＤＤをしっかりと固定できないという問題があった。このようにＨＤＤの固定が不安定であると、ケース内でＨＤＤと接続する接続端子に不要な負荷がかかり得る。
【０００８】
本考案は上記課題の少なくとも一つを解決するためになされたものであり、内部へのチリや埃の侵入をより確実に防ぎ、筺体の形状が異なる様々なＨＤＤが挿入されたときのいずれにおいても隙間やぐらつきを抑えてＨＤＤを的確に固定することが可能なハードディスクドライブ接続装置を提供する。
【課題を解決するための手段】
【０００９】
本考案の態様の一つは、ハードディスクドライブ接続装置であって、ディスクサイズが第１のサイズであるＨＤＤを挿入可能な大きさの第１の開口を備える外ケースと、ディスクサイズが第１のサイズであるＨＤＤを挿入可能な大きさの第２の開口と、ディスクサイズが第１のサイズよりも小さい第２のサイズであるＨＤＤを挿入可能な大きさの第３の開口と、第１の開口を塞ぐ面積を有する第１の領域とを少なくとも備え、外ケースの内側において回転することにより外ケースに対する位置を変更可能な内ケースと、第１の開口と内ケースが備えるいずれかの開口とを介して挿入されるＨＤＤと接続するための接続端子を有し、内ケースの内側に配設される台座と、を備える構成としてある。
【００１０】
本考案によれば、内ケースを回転させることで、第１の開口に対して第２の開口が重なる状態と、第３の開口が重なる状態と、第１の領域が重なる状態と、を自由に切り替えることができる。そのため、第１の開口と第２の開口とを介してディスクサイズが第１のサイズであるＨＤＤを挿入したり、第１の開口と第３の開口とを介してディスクサイズが第２のサイズであるＨＤＤを挿入したり、第１の開口を第１の領域で塞いだりすることができる。また、ディスクサイズが第１のサイズのＨＤＤであってもその筺体の形状は様々であり、同様に、ディスクサイズが第２のサイズのＨＤＤであってもその筺体の形状は様々であるが、内ケースを回転させて、第１の開口に対して重なる第２の開口の範囲又は第１の開口に対して第３の開口が重なる範囲を変化させることで、ＨＤＤの筺体の形状に必要な分だけの開口部を確保してＨＤＤを挿入できる。つまり、筐体の形状が異なる様々なＨＤＤについてそれらを挿入するときに、挿入に必要な分だけの開口部を確保できるため、内部へのチリや埃の侵入を確実に防ぎ、且つ、隙間やぐらつきを抑えて的確にＨＤＤを固定することができる。また、ＨＤＤを挿入しないときは、第１の領域により内部へのチリや埃の侵入を確実に防ぐことができる。
【００１１】
本考案の態様の一つは、外ケースに対する内ケースの位置であって、第１の領域が第１の開口を塞ぐ位置、第１の開口と第２の開口の少なくとも一部とが重なる複数の位置、第１の開口と第３の開口の少なくとも一部とが重なる複数の位置、のそれぞれに内ケースを保持することが可能な保持機構を備える構成としてある。
当該構成によれば、第１の開口と第２の開口が重なることで生まれる開口部又は第１の開口と第３の開口が重なることで生まれる開口部であって、挿入されるＨＤＤの筺体のサイズに必要な分だけの開口部を確保する場合や、第１の開口を第１の領域で塞ぐ場合に、保持機構により内ケースの位置を必要な位置に保持することができる。
【００１２】
本考案の態様の一つは、挿入されるＨＤＤの厚み方向と略平行な方向へ内ケースの移動を案内するガイド機構を備える構成としてある。
当該構成によれば、内ケースを回転させたときにガイド機構により内ケースの移動が上記厚み方向へ規制される。そのため、厚みの異なる様々なＨＤＤについてそれらを挿入するときに、その厚みに必要な分だけの上記開口部を容易に確保できる。
【００１３】
本考案の態様の一つは、内ケースを回転させるための操作部を備える構成としてある。
当該構成によれば、ユーザは、操作部を操作することにより任意に内ケースを回転させて、内ケースの位置を所望の位置とすることができる。
【図面の簡単な説明】
【００１４】
【図１】ＨＤＤスタンドの外観を例示する斜視図である。
【図２】内ケースの外面側を例示する斜視図である。
【図３】内ケースの内面側を例示する斜視図である。
【図４】台座を例示する斜視図である。
【図５】台座と内ケースを組み合わせた状態を例示する斜視図である。
【図６】外ケースの内面の構成を簡易的に例示する図である。
【図７】外ケースの一部の断面図およびクローズ位置に対応する内ケースを例示する図である。
【図８】外ケースの一部の断面図および３．５インチ用位置に対応する内ケースを例示する図である。
【図９】外ケースの一部の断面図および２．５インチ用位置に対応する内ケースを例示する図である。
【図１０】外ケースの開口と３．５インチ用位置に対応する内ケースの開口との位置関係を例示する図である。
【図１１】外ケースの開口と２．５インチ用位置に対応する内ケースの開口との位置関係を例示する図である。
【考案を実施するための形態】
【００１５】
以下、図面を参照しながら、本考案の実施形態について説明する。
図１は、本実施形態にかかるＨＤＤスタンド１０の外観を例示する斜視図である。ＨＤＤスタンド１０は、ハードディスクドライブ接続装置に該当する。ＨＤＤスタンド１０の外観の大部分は、略半球状の外ケース２０により覆われている。外ケース２０は、その上側の領域の一部に、略矩形の開口２１を形成している。開口２１は、第１の開口に該当する。開口２１は、ユーザがＨＤＤをＨＤＤスタンド１０に対して挿入するための開口である。開口２１は、その長手方向の長さは、ＨＤＤスタンド１０に挿入されることが想定される３．５インチのＨＤＤのうち最も筺体が大きいＨＤＤの横幅に略相等し、その短手方向の長さは、当該最も筺体が大きい３．５インチのＨＤＤの厚みに略相等する。
【００１６】
本実施形態では、一般的に形状が略直方体であるＨＤＤの筺体の３辺のうち最も長い辺の長さをＨＤＤの縦幅と呼び、ＨＤＤの筺体の３辺のうち２番目に長い辺の長さをＨＤＤの横幅と呼び、ＨＤＤの筺体の３辺のうち最も短い辺の長さをＨＤＤの厚みと呼ぶ。従って、ＨＤＤスタンド１０に対してＨＤＤは縦方向に挿入される。また、本実施形態では、各種３．５インチのＨＤＤ間における筺体の形状の違いは、主として厚みの違いを想定しており、横幅は殆ど同じであるとする。同様に、各種２．５インチのＨＤＤ間における筺体の形状の違いも、主として厚みの違いを想定しており、横幅は殆ど同じであるとする。３．５インチのＨＤＤは、ディスクサイズが第１のサイズであるＨＤＤの一例であり、２．５インチのＨＤＤは、ディスクサイズが第２のサイズであるＨＤＤの一例である。
【００１７】
外ケース２０の表面における所定箇所には略円形の凹部２２が形成されており、凹部２２には操作つまみ４０が嵌め込まれている。凹部２２の中心部には開口２５（図６参照。）が形成されており、操作つまみ４０の一部分（操作つまみ４０の軸）が当該開口２５を通って外ケース２０内側へ突出する構成となっている。ユーザは、操作つまみ４０を時計回りあるいは反時計回りに回転させることができる。操作つまみ４０は、操作部に該当する。外ケース２０の内側には、内ケース３０が収容され、後述するようにユーザが操作つまみ４０を回転させることに伴って、内ケース３０が外ケース２０の内側で回転する。また、外ケース２０の表面における所定箇所には、電源ボタン５０や複数の外部接続端子６０が設けられている。複数の外部接続端子６０は、例えば、ＨＤＤスタンド１０が外部から電源供給を受けるために図示しない電源コードと接続する端子や、ＨＤＤスタンド１０が外部のコンピュータと通信可能に接続するために図示しない通信ケーブルと接続する端子を含む。外部接続端子６０の数は特に限られない。外部との通信に用いられるこれら外部接続端子６０としては、例えば、ＵＳＢ（Universal Serial Bus）端子や、ｅＳＡＴＡ（external Serial ATA）端子が採用される。電源ボタン５０や外部接続端子６０は、ＨＤＤスタンド１０内に搭載された図示しない電子基板と接続している。
【００１８】
図２は、内ケース３０の外面側を例示する斜視図であり、図３は、内ケース３０の内面側を例示する斜視図である。内ケース３０は、球体の一部分に略相等する形状をしており、その両端に軸３４ａ，３４ｂを備える。軸３４ａ，３４ｂは同軸である。軸３４ａは、上記開口２５を通過した操作つまみ４０の軸と接続し、操作つまみ４０の回転に伴って回転する。内ケース３０は、その表面に、いずれも略矩形の開口３１および開口３２を形成している。開口３１は第２の開口に該当し、開口３２は第３の開口に該当する。開口３１は、外ケース２０の開口２１とほぼ同じ大きさをしている。一方、開口３２は、その長手方向の長さは、ＨＤＤスタンド１０に挿入されることが想定される２．５インチのＨＤＤのうち最も筺体が大きいＨＤＤの横幅に略相等し、その短手方向の長さは、当該最も筺体が大きい２．５インチのＨＤＤの厚みに略相等する。従って、開口３２は開口３１よりも小さい。
【００１９】
ＨＤＤスタンド１０においては、開口３１，３２の長手方向は、開口２１の長手方向と略平行である。内ケース３０における開口３１と開口３２との間の領域は、カバー領域３５と呼び、第１の領域に該当する。カバー領域３５の所定箇所には、突起３３ａ，３３ｂ，３３ｃが形成されている。突起３３ａ，３３ｂ，３３ｃは内ケース３０の外面から突出した凸部であり、それらは開口３１および開口３２の長手方向と略平行に且つ直線状に並んでいる。
【００２０】
図４は、台座７０を例示する斜視図である。台座７０は、内ケース３０の内側に配設される部材であり、図示しない上記電子基板を所定箇所に備える。台座７０は、概略、底部７３と、底部７３から略垂直に起立する２枚の壁部７２ａ，７２ｂとを備える。壁部７２ａと壁部７２ｂとは壁面を略平行に保っており、これら壁間の距離は、開口２１および開口３１の短手方向の長さに略対応している。また、壁部７２ａ，７２ｂの底部７３と接する部分の長さは、開口２１および開口３１の長手方向の長さに略対応している。このような台座７０は、外ケース２０の開口２１と内ケース３０の開口３１，３２のいずれかとを介して挿入されるＨＤＤを、壁部７２ａ，７２ｂで挟まれた矩形領域に受け入れる。底部７３は、壁部７２ａ，７２ｂに挟まれた矩形領域の所定箇所に、接続端子７４を備えている。接続端子７４は、挿入されたＨＤＤに設けられている接続端子と接続するためのコネクタである。接続端子７４は、上記電子基板に実装された部品である。さらに台座７０は、壁部７２ａ，７２ｂで挟まれた矩形領域の長手方向の両端近傍に、軸受を備えている（図４では、一端側の軸受に符号７１を付している。）。これら軸受は、内ケース３０を台座７０に組み合わせるときに内ケース３０の軸３４ａ，３４ｂを受けるための部位である。
【００２１】
図５は、台座７０と内ケース３０を組み合わせた状態を例示する斜視図である。内ケース３０は、操作つまみ４０が回転させられることにより、軸３４ａ，３４ｂを中心に回転する。また、外ケース２０は、開口２１の位置と、台座７０の壁部７２ａ，７２ｂで挟まれた矩形領域の位置とが一致するように、台座７０および内ケース３０に対して被せられる。従って、ユーザが操作つまみ４０を回転させることにより、台座７０の壁部７２ａ，７２ｂで挟まれた矩形領域と外ケース２０の開口２１との間を、内ケース３０の開口３１、カバー領域３５および開口３２が通過することになる。
【００２２】
図６は、外ケース２０を内面（内ケース３０と相対する面）側から見た様子を簡易的に例示する図である。図６では、電源ボタン５０や外部接続端子６０に対応する穴等、外ケース２０の構成の一部については適宜省略している。外ケース２０の内面には、開口２１を跨ぐ位置に、外ケース２０の外面側へ所定の深さを有する溝２３ａ，２３ｃおよび溝群２３ｂが形成されている。溝２３ａ，２３ｃおよび溝群２３ｂは、外ケース２０を貫通するものではない。溝２３ａ，２３ｃは、帯状の溝であり、互いに平行に並び、かつ、それらの長手方向が開口２１の長手方向に対して略直交するように形成されている。溝群２３ｂは、複数の小溝２４ａ，２４ｂ，２４ｃ，２４ｄ，２４ｅ，２４ｆ，２４ｇおよび複数の長溝２４ｈ，２４ｉの集合であり、溝群２３ｂを構成する各溝が並ぶ方向は、溝２３ａ，２３ｃの長手方向と平行である。溝２３ａ，２３ｃおよび溝群２３ｂそれぞれの、開口２１の長手方向と平行な方向における幅は、内ケース３０の突起３３ａ，３３ｂ，３３ｃの各長さに略対応している。外ケース２０を台座７０および内ケース３０に対して被せたとき、突起３３ａは溝２３ａに、突起３３ｃは溝２３ｃに、突起３３ｂは溝群２３ｂに、それぞれ収容される。
【００２３】
つまり、内ケース３０が外ケース２０の内側で回転するとき、突起３３ａは溝２３ａ内を、突起３３ｃは溝２３ｃ内を、溝２３ａ，２３ｃの長手方向に沿って移動する。また、突起３３ｂは、内ケース３０の回転に伴い、溝群２３ｂを構成する長溝２４ｈ，２４ｉ内を溝群２３ｂの長手方向に沿って移動するか、あるいは、溝群２３ｂを構成する小溝２４ａ〜２４ｇのいずれかに嵌合する。小溝２４ａ〜２４ｇは、突起３３ｂが嵌合する程度の大きさに形成されており、突起３３ｂが小溝２４ａ〜２４ｇのいずれかに嵌合したとき、内ケース３０はその回転位置が略保持される。このような突起３３ｂおよび小溝２４ａ〜２４ｇは、外ケース２０に対する内ケース３０の複数の位置それぞれに内ケース３０を保持することが可能な保持機構の一例に該当する。また、突起３３ａ，３３ｃおよび溝２３ａ，２３ｃ更には突起３３ｂおよび長溝２４ｈ，２４ｉは、ＨＤＤスタンド１０に挿入されるＨＤＤの厚み方向（開口２１の短手方向）と略平行な方向へ内ケース３０の移動を案内するガイド機構の一例に該当する。
【００２４】
図７，８，９は、外ケース２０の一部についての断面図（図６のＡ１‐Ａ２線による断面図）と、外ケース２０の内側に収容された内ケース３０とを例示している。図７，８，９では、内ケース３０について軸３４ａを正面から見た場合の側面を示しており、かつ、参考のため、軸３４ａに接続される操作つまみ４０も２点鎖線にて示している。図７，８，９では内容を適宜簡略化しており、外ケース２０の断面についてハッチングを省略したり、突起３３ｂ以外の突起３３ａ，３３ｃを省略したりしている。
【００２５】
図７では、内ケース３０の位置を、カバー領域３５が開口２１を塞ぐ位置とした場合を示している。図７に示すように、操作つまみ４０の角度を鉛直方向とした場合、突起３３ｂが小溝２４ｃに嵌合することで、内ケース３０のカバー領域３５が、開口２１の全てを塞ぐ。図１は、このように開口２１が塞がれた様子を示している。以下では、図１，７に示した内ケース３０の位置を、クローズ位置とも呼ぶ。
【００２６】
図８では、内ケース３０の位置を、開口３１が開口２１と重なる位置とした場合を示している。図８に示すように、クローズ位置の状態から操作つまみ４０を反時計回りに所定角度回転させると、突起３３ｂが小溝２４ａに嵌合することで、開口３１と開口２１とが重なる。突起３３ｂを小溝２４ａに嵌合させた場合、開口２１に対して開口３１が重なる範囲が最大となる。このとき、ユーザは、開口２１および開口３１を介して、筺体の厚みがＴ０である３．５インチのＨＤＤ８０（図８の鎖線参照）をＨＤＤスタンド１０内へ挿入することができる。ＨＤＤ８０は、ＨＤＤスタンド１０への挿入が想定されている３．５インチのＨＤＤのうち筺体の厚みが最大の製品に該当する。なお、操作つまみ４０を回転させて突起３３ｂが小溝２４ｂに嵌合する位置とした場合は、突起３３ｂが小溝２４ａに嵌合する位置と比較して、開口２１に対して開口３１が重なる範囲が狭まる。このように開口２１に対して開口３１が重なる範囲を狭めた場合、ユーザは、開口２１および開口３１を介して、筺体の厚みがＴ１（Ｔ１＜Ｔ０）である３．５インチのＨＤＤ８１（図８の鎖線参照）をＨＤＤスタンド１０内へ挿入することができる。
【００２７】
図１０は、開口２１と開口３１との位置関係を、ＨＤＤスタンド１０の上方からの視点により例示している。図１０では、開口２１の位置を実線の枠で示し、開口３１（３１ａ，３１ｂ）の位置を２点鎖線の枠で示している。具体的には、符号３１ａの枠は、厚みＴ０のＨＤＤ８０を挿入するために必要な開口３１の位置（突起３３ｂが小溝２４ａに嵌合する位置）を示し、符号３１ｂの枠は、厚みＴ１のＨＤＤ８１を挿入するために必要な開口３１の位置（突起３３ｂが小溝２４ｂに嵌合する位置）を示している。このように、開口３１が符号３１ａ，３１ｂで示された位置となる内ケース３０の位置を、複数の３．５インチ用位置とも呼ぶ。
【００２８】
図９では、内ケース３０の位置を、開口３２が開口２１と重なる位置とした場合を示している。図９に示すように、クローズ位置の状態から操作つまみ４０を時計回りに所定角度回転させると、突起３３ｂが小溝２４ｄに嵌合することで、開口３２と開口２１とが重なる。突起３３ｂを小溝２４ｄに嵌合させた場合、開口２１に対して開口３２が重なる範囲が最大となる。このとき、ユーザは、開口２１および開口３２を介して、筺体の厚みがＴ２である２．５インチのＨＤＤ８２（図９の鎖線参照）をＨＤＤスタンド１０内へ挿入することができる。ＨＤＤ８２は、ＨＤＤスタンド１０への挿入が想定されている２．５インチのＨＤＤのうち筺体の厚みが最大の製品に該当する。さらに、操作つまみ４０を回転させて突起３３ｂを小溝２４ｅ，２４ｆ，２４ｇそれぞれに嵌合させていくと、開口２１に対して開口３２が重なる範囲が段階的に狭まる。
【００２９】
突起３３ｂを小溝２４ｅに嵌合させた場合、ユーザは、開口２１および開口３２を介して、筺体の厚みがＴ３（Ｔ３＜Ｔ２）である２．５インチのＨＤＤ８３（図９の鎖線参照）をＨＤＤスタンド１０内へ挿入することができる。また、突起３３ｂを小溝２４ｆに嵌合させた場合、ユーザは、開口２１および開口３２を介して、筺体の厚みがＴ４（Ｔ４＜Ｔ３）である２．５インチのＨＤＤ８４（図９の鎖線参照）をＨＤＤスタンド１０内へ挿入することができる。また、突起３３ｂを小溝２４ｇに嵌合させた場合、ユーザは、開口２１および開口３２を介して、筺体の厚みがＴ５（Ｔ５＜Ｔ４）である２．５インチのＨＤＤ８５（図９の鎖線参照）をＨＤＤスタンド１０内へ挿入することができる。
【００３０】
図１１は、開口２１と開口３２との位置関係を、ＨＤＤスタンド１０の上方からの視点により例示している。図１１では、開口２１の位置を実線の枠で示し、開口３２（３２ｄ，３２ｅ，３２ｆ，３２ｇ）の位置を２点鎖線の枠で示している。具体的には、符号３２ｄの枠は、厚みＴ２のＨＤＤ８２を挿入するために必要な開口３２の位置（突起３３ｂが小溝２４ｄに嵌合する位置）を示し、符号３２ｅの枠は、厚みＴ３のＨＤＤ８３を挿入するために必要な開口３２の位置（突起３３ｂが小溝２４ｅに嵌合する位置）を示している。同様に、符号３２ｆの枠は、厚みＴ４のＨＤＤ８４を挿入するために必要な開口３２の位置（突起３３ｂが小溝２４ｆに嵌合する位置）を示し、符号３２ｇの枠は、厚みＴ５のＨＤＤ８５を挿入するために必要な開口３２の位置（突起３３ｂが小溝２４ｇに嵌合する位置）を示している。このように、開口３２が符号３２ｄ，３２ｅ，３２ｆ，３２ｇで示された位置となる内ケース３０の位置を、複数の２．５インチ用位置とも呼ぶ。
【００３１】
このように本実施形態によれば、ユーザは、操作つまみ４０を回転させるだけで、内ケース３０の位置を、クローズ位置、複数の３．５インチ用位置、複数の２．５インチ用位置の中の何れかとすることができる。つまり、ＨＤＤスタンド１０の未使用時（ＨＤＤを挿入しないとき）は、クローズ位置とすることでＨＤＤスタンド１０内へのチリや埃の侵入を確実に防ぐことができる。また、ＨＤＤスタンド１０の使用時には、複数の３．５インチ用位置および複数の２．５インチ用位置の中から、挿入対象としているＨＤＤの筺体の形状（厚み）に最適な位置を選択することで、ＨＤＤを挿入するための開口部（開口２１および開口３１が重なることで生成される開口部、又は、開口２１および開口３２が重なることで生成される開口部）を、必要最小限の大きさとすることができる。そのため、厚みが異なる複数の３．５インチのＨＤＤや厚みが異なる複数の２．５インチのＨＤＤの中からユーザが任意に選択したＨＤＤをＨＤＤスタンド１０に挿入する場合に、ＨＤＤの筺体表面とＨＤＤスタンド１０の開口部との間の不要な隙間を無くし、ＨＤＤスタンド１０内へのチリや埃の侵入防止とＨＤＤの確実な固定（ＨＤＤのぐらつき防止）とを両立することができる。
【００３２】
また、このように挿入されたＨＤＤのぐらつきが生じ難くなることで、台座７０における接続端子７４に対しての斜めからの力等による負荷もかかり難くなる。なお本実施形態では、挿入されたＨＤＤは、その下端が接続端子７４によって固定され、且つ、挿入されたときに開口２１や開口３１（又は開口３２）の高さ位置に相当する箇所が開口２１や開口３１（又は開口３２）の縁によって支持されるため、ＨＤＤは非常に安定する。さらに、ＨＤＤスタンド１０は上述したような保持機構を有するため、内ケース３０の位置を、クローズ位置、複数の３．５インチ用位置、複数の２．５インチ用位置の中の何れにした場合であっても内ケース３０の位置が確実に保持され、上述したようなチリや埃の侵入防止やＨＤＤのぐらつき防止といった効果が維持される。さらには、ＨＤＤスタンド１０は上述したようなガイド機構を有するため、内ケース３０を回転させてその位置を変更する際、非常にスムーズに位置を変更することができる。
【００３３】
なお上記では、内ケース３０がＨＤＤの挿入のために備える開口は、３．５インチのＨＤＤを想定した開口３１と２．５インチのＨＤＤを想定した開口３２との二つであったが、更に他のサイズのＨＤＤを想定した開口を有するとしてもよい。また、保持機構としての小溝の数もこれまで図等で示した態様に限られず、より数多くのＨＤＤの厚みに対応させて形成してもよい。さらには、保持機構やガイド機構としての各突起を外ケース２０の内面側に設け、各溝や溝群を内ケース３０の外面側に設けるとしてもよい。
【符号の説明】
【００３４】
１０…ＨＤＤスタンド、２０…外ケース、２１…開口、２２…凹部、２３ａ，２３ｃ…溝、２３ｂ…溝群、２４ａ，２４ｂ，２４ｃ，２４ｄ，２４ｅ，２４ｆ，２４ｇ…小溝、２４ｈ，２４ｉ…長溝、３０…内ケース、３１，３１ａ，３１ｂ，３２，３２ｄ，３２ｅ，３２ｆ，３２ｇ…開口、３３ａ，３３ｂ，３３ｃ…突起、３４ａ，３４ｂ…軸、３５…カバー領域、４０…操作つまみ、７０…台座、７１…軸受、７２ａ，７２ｂ…壁部、７３…底部、７４…接続端子、８０，８１，８２，８３，８４，８５…ＨＤＤ
【図１】
0003169661.tif 000003
【図２】
0003169661.tif 000004
【図３】
0003169661.tif 000005
【図４】
0003169661.tif 000006
【図５】
0003169661.tif 000007
【図６】
0003169661.tif 000008
【図７】
0003169661.tif 000009
【図８】
0003169661.tif 000010
【図９】
0003169661.tif 000011
【図１０】
0003169661.tif 000012
【図１１】
0003169661.tif 000013